(57)【要約】【課題】  振動による基板への損傷を防止するとともに、製造コストの低廉な電池のプラス電極用端子および該プラス電極用端子を備えた電池ボックスを提供することを課題とする。【解決手段】  電池ボックス１ａのプラス電極用端子２０は、電池のプラス電極が接触する電極部２２と、基板６に半田付けされた半田付け部１３と、電極部２２と半田付け部１３との間に設けられたリード部２１とを有し、該リード部２１に電池の延在方向に加わる力が前記半田付け部１３に直接加わらないようにする負荷吸収手段が設けられている。このリード部２１は、電極部２２に連設され、電池の延在方向に延びる延出部２１ａと、該延出部２１ａの端部と前記半田付け部１３の間に設けられ、電池の延在方向に対し略垂直な平面内に位置する環状に湾曲したループ部２１ｂとを有し、該ループ部２１ｂが前記負荷吸収手段をなしている。【選択図】  図１
2005135769.tif 000002
【特許請求の範囲】
【請求項１】
針金状の導電体を所定形状に曲げて形成された電池のプラス電極用端子であって、該プラス電極用端子は、電池のプラス電極が接触する電極部と、基板に半田付けされる半田付け部と、前記電極部と前記半田付け部との間に設けられたリード部とを有し、該リード部に電池の延在方向に加わる力が前記半田付け部に直接加わらないようにする負荷吸収手段を設けたことを特徴とする電池のプラス電極用端子。
【請求項２】
前記リード部は、前記電極部に連設され、電池の延在方向に延びる延出部と、該延出部の端部と前記半田付け部の間に設けられ、前記電池の延在方向に対し略垂直な平面内に位置する環状に湾曲したループ部とを有し、該ループ部が前記負荷吸収手段をなす請求項１記載の電池のプラス電極用端子。
【請求項３】
前記電極部は前記針金状の導電体の一方の側を略Ｗ状に曲げて形成されており、該電極部と前記リード部のループ部とが略平行な面内に位置する請求項２に記載の電池のプラス電極用端子。
【請求項４】
請求項１ないし３のいずれかに記載された電池のプラス電極用端子を備えた電池ボックス。
【発明の詳細な説明】
【技術分野】
【０００１】
本発明は、電池を収納する電池ボックスに関するものであり、特に、そのプラス電極用端子に関するものである。
【背景技術】
【０００２】
従来構造の電池ボックスを図３に示す。この電池ボックス１は、開閉可能な蓋２ａを有するケース本体２と、前記ケース本体２に設けられた電池収納部３と、ケース本体２の仕切り板４と、該仕切り板４に設けられた装着部材５と、該装着部材５に差し込まれた略Ｗ状に折り曲げた針金状の導電体により形成した電極部１２を有する電池のプラス電極用端子１０と、該電池のプラス電極用端子の一端に半田付けされた基板６と、該基板６に設けられた蓄電用コンデンサ７と、コイル状のマイナス電極用端子８とを有している。この電池ボックス１からは、ケーブル１６が延出しており、その先に設けられたコネクタ１７を介して、ＭＤなどの機器（図示せず）に接続されて当該機器に電気を供給するようになっている。
【０００３】
この電池ボックス１のプラス電極用端子１０は、電池ボックス１の簡易な構造を実現するため、電極部１２を基板６へ接続するリード線としての役割も有している。このリード線としての役割を有するリード部は符号１１により示され、その一端は、符号１３により示すように基板６に半田付けされた半田付け部をなしている。
【発明の開示】
【発明が解決しようとする課題】
【０００４】
しかしながら、この電池ボックス１に振動や衝撃が加わると、その振動や衝撃により電池ボックス１内に収納した電池（図示せず）がプラス電極用端子１０の電極部１２を押圧する。このため、仕切り板４がわずかに撓み、同時に、プラス電極用端子１０のリード部１１を介して基板６に対して負荷が加わる。
【０００５】
この負荷は半田付け部１３に集中し、当該部分の基板６にクラックが発生したり、半田付けがとれたりする問題があった。
【０００６】
この解決方法としてリード部を可撓性のある電線にすることも考えられるが、電極部１２とは別部品とする必要があり、製造コストの上昇を招くという問題がある。
【０００７】
上記問題点に鑑み、本発明は、振動による基板の損傷を防止するとともに、製造コストの低廉な電池のプラス電極用端子を提供することを目的とする。
【０００８】
また、本発明は、そのような電池のプラス電極用端子を備えた電池ボックスを提供することを目的とする。
【課題を解決するための手段】
【０００９】
上記目的を達成するため、本発明は、針金状の導電体を所定形状に曲げて形成された電池のプラス電極用端子であって、該プラス電極用端子は、電池のプラス電極が接触する電極部と、基板に半田付けされる半田付け部と、前記電極部と前記半田付け部との間に設けられたリード部とを有し、該リード部に電池の延在方向に加わる力が前記半田付け部に直接加わらないようにする負荷吸収手段を設けたことを特徴とする。
【００１０】
以上のような構成を有する電池のプラス電極用端子によれば、振動や衝撃により電池が移動して、プラス電極用端子に力が加わっても、基板への負荷がリード部の負荷吸収手段で吸収される。このため、振動や衝撃による基板への損傷を防止することができ、また低廉な製造コストを実現できる。
【００１１】
また、本発明の電池のプラス電極用端子は、前記リード部が、前記電極部に連設され、電池の延在方向に延びる延出部と、該延出部の端部と前記半田付け部の間に設けられ、前記電池の延在方向に対し略垂直な平面内に位置する環状に湾曲したループ部とを有し、該ループ部が前記負荷吸収手段をなすことが好ましい。
【００１２】
このような負荷吸収手段としてのループ部を設けることにより、プラス電極用端子に力が加わった場合でも、当該力がループ部で効率良く吸収され、基板の損傷を防止することができる。
【００１３】
さらに、本発明の電池のプラス電極用端子では、前記電極部が前記針金状の導電体の一方の側を略Ｗ状に曲げて形成され、該電極部と前記リード部のループ部とが略平行な面内に位置することが好ましい。
【００１４】
このような構成とすることにより、ループ部を狭い空間内に効率よく配置することができる。
【００１５】
さらに、本発明の電池ボックスは、前述したような電池のプラス電極用端子を備えたことを特徴とする。
【００１６】
本発明の他の目的、作用及び効果は、以下の実施の形態及びその図面から明らかにされる。
【発明を実施するための最良の形態】
【００１７】
以下、本発明に係る電池のプラス電極用端子および該プラス電極用端子を備えた電池ボックスの好適な実施形態を、図面を参照しつつ説明する。
【００１８】
図１は、本発明の好適な実施例である電池のプラス電極用端子および該プラス電極用端子を備えた電池ボックスの全体構成を示す斜視図であり、また、図２は、図１に示す電池のプラス電極用端子２０の説明図であり、（ａ）は正面図、（ｂ）は右側面図、（ｃ）は平面図をそれぞれ示している。なお、図３に付した従来の電池ボックス１の構造と同一の機能を有する構成部材には、同一の符号を用いる。
【００１９】
図１に示すように、本実施形態の電池ボックス１ａは、開閉可能な蓋２ａを有する合成樹脂製のケース本体２と、該ケース本体２に設けられた電池収納部３と、ケース本体２の仕切り板４と、該仕切り板４に設けられた一対の装着片から成る装着部５と、一本の針金状の導電体（本実施形態においては鉄線）を所定形状に折り曲げて形成した電池のプラス電極用端子２０と、該電池のプラス電極用端子２０の一端に半田付けされた基板６と、該基板６に設けられた蓄電用コンデンサ７と、コイル状のマイナス電極用端子８とを有する。この電池ボックス１からは、ケーブル１６が延出しており、その先に設けられたコネクタ１７を介して、ＭＤなどの機器（図示せず）に接続されて当該機器に電気を供給するようになっている。
【００２０】
この電池ボックス１ａのプラス電極用端子２０は、電池のプラス電極（図示せず）が接触する電極部２２と、基板６に半田付けされた半田付け部１３と、前記電極部２２と前記半田付け部１３との間に設けられたリード部２１とを有し、該リード部２１に電池の延在方向に加わる力が前記半田付け部１３に直接加わらないようにする負荷吸収手段が設けられている。
【００２１】
より詳しく説明するに、前記電極部２２は、前記針金状の導電体の一方の側を略Ｗ状に折り曲げて成り、前記装着部５に装着されている。そして、該装着部５の一対の装着片の間に位置する導電体の部分が電池のプラス電極に接触するようになっている。
【００２２】
前記リード部２１は、前記電極部２２に連設され、電池の延在方向に延びる延出部２１ａと、該延出部２１ａの端部と前記半田付け部１３の間に設けられ、前記電池の延在方向に対し略垂直な平面内に位置する環状に湾曲したループ部２１ｂとを有し、該ループ部２１ｂが前記負荷吸収手段をなしている。そして、このループ部２１ｂの延出部２１ａと反対側の端部は、前記半田付け部１３を介して基板６に接続かつ固定されている。すなわち、ループ部２１ｂは、電池の延在方向に対し略垂直でかつ基板６に対しても略垂直な面内に位置している。
【００２３】
このループ部２１ｂは、図１および図２に示すように、前記導体を予め定められた曲率を有する環状をなすように曲げ加工して形成されている。このループ部２１ｂは、図１の矢印Ａに示される電池の延在方向に対して略垂直方向（図１の矢印Ｂ）の面内に位置するようになっており、また電極部２２と略平行な面内に位置するようになっている。このような構成とすることにより、ループ部を電池ボックス内の狭い空間内に効率よく配置することができる。
【００２４】
なお、図２（ｃ）の破線の矢印Ａは電池の延在方向を示し、また、同図の破線の矢印Ｂは、その電池の延在方向に対する垂直方向を示している。
【００２５】
以下、上記電池のプラス電極用端子２０および電池ボックス１aの作用効果について説明する。
【００２６】
電池を収納した電池ボックス１ａに振動や衝撃が加わり、電池に図１の矢印Ａの方向の力が加わると、この力による負荷は、負荷吸収手段としてのループ部２１ｂに沿って矢印Ｂの方向へ転換され、且つ、ループ部２１ｂが撓むことにより熱エネルギーに変換され吸収される。このため、この負荷は半田付け部１３へはほとんど伝達されず、当該部分の基板６の損傷を防止することができる。
【００２７】
さらに、ループ部２１ｂは、その延在方向において環状に湾曲されているため、バネとしての復元力を有する。このため、激しい振動や衝撃による力が加えられた場合でも、その変形を防止することができる。さらに、この環状に湾曲された形状は製造が容易であるため、製造コストを低減できるという利点がある。
【００２８】
このループ部２１ｂは、基板６へのリード線としての機能も有する上、電極部２２と一体に構成されているため、製造コストを低減できる。さらに、その取付け作業においても、仕切り板４に設けられた装着部材５に差し込むだけで良く、従来の組立て工程のまま採用することができる。
【００２９】
なお、本発明のループ部２１ｂは、本実施形態において環状に湾曲されているが、上記本実施形態の作用効果において説明したように、振動や衝撃による負荷を電池の延在方向に対して垂直方向へ変換できるものであれば、その形状を問わない。例えば、電極部２２のように、Ｕ字型の屈曲を連続させた形状等、当業者に公知の衝撃吸収機能を奏することができるすべての形状を含む。また、上記実施形態では、ループ部２１ｂが一つだけ形成されているが、これを複数設けることも可能である。
【００３０】
また、上記実施形態では、電池ボックス１ａは、一本の電池を収納するようになっているが、複数本の電池を収納できるタイプでもよく、その場合、それらのプラス電極用端子のいずれかをまたはすべてを以上のような構成のものとすることができる。また、上記実施形態では、電池ボックス１ａは、ケーブル１６およびコネクタ１７を介してＭＤなどの機器に接続されるようになっているが、ケーブル１６を省略して、コネクタ１７が電池ボックスに直付けされたタイプとすることも可能である。
【００３１】
さらに、本発明の電池のプラス電極用端子は、以上の実施形態のような電池ボックスに限られず、あらゆる電池を使う製品の端子として使用できることは言うまでもない。
【図面の簡単な説明】
【００３２】
【図１】本発明の実施形態に係る電池ボックス１ａの全体構造を示す斜視図である。矢印Ａは電池の延在方向を示し、また、矢印Ｂは、その電池の延在方向に対する垂直方向を示している。
【図２】図１に示す電池のプラス電極用端子２０の説明図であり、（ａ）は正面図、（ｂ）は右側面図、（ｃ）は平面図をそれぞれ示している。（ｃ）の破線の矢印Ａは電池の延在方向を示し、また、同図の破線の矢印Ｂは、その電池の延在方向に対する垂直方向を示している。
【図３】従来の電池ボックス１の全体構造を示す斜視図である。
【符号の説明】
【００３３】
１    電池ボックス（従来構造）
１ａ  電池ボックス（本発明）
２    ケース本体
２ａ  蓋
３    電池収納部
４    仕切り板
５    装着部材
６    基板
７    コンデンサ
８    マイナス電極用端子
１０  プラス電極用端子
１１  リード部
１２  電極
１３  半田付け部
１６  ケーブル
１７  コネクタ
２０  プラス電極用端子
２１  リード部
２１ａ  延出部
２１ｂ  ループ部（負荷吸収手段）
２２  電極部
【図１】
2005135769.tif 000003
【図２】
2005135769.tif 000004
【図３】
2005135769.tif 000005